(57)【特許請求の範囲】
【請求項１】
口部と胴部とを有するプリフォームを複数収容可能な第一収容空間を有する第一金型と、
前記第一収容空間に配置された前記複数のプリフォーム内に気体を吹き込んで膨らませることによって、前記複数のプリフォームの胴部同士が互いに溶着して形成された連結部分を有する中間成形体を製造する第一ブローユニットと、
前記第一収容空間より大きい第二収容空間を有する第二金型と、
前記第二収容空間内に配置された前記中間成形体内に気体を吹き込んで膨らませることによって、多室容器の外形を形成する第二ブローユニットと、
を備える、多室容器の製造装置。
【請求項２】
前記第一金型は、前記中間成形体の外形を形成する内壁面に、前記連結部分の外形を形成するための突起部が形成されている、請求項１に記載の多室容器の製造装置。
【請求項３】
前記突起部の先端は平坦面を含んでいる、請求項２に記載の多室容器の製造装置。
【請求項４】
射出成形により前記プリフォームを製造するプリフォーム製造ユニットと、
前記第二ブローユニットにより製造された前記多室容器を装置の外部へ排出する排出ユニットと、
を備える、請求項１から請求項３のいずれか一項に記載の多室容器の製造装置。
【請求項５】
前記第一ブローユニットは、樹脂が膨らみやすい温度となるように前記中間成形体の温度を調整する温調部を有している、請求項１から請求項４のいずれか一項に記載の多室容器の製造装置。
【請求項６】
第一収容空間を有する第一金型と、前記第一収容空間より大きい第二収容空間を有する第二金型と、を用いて多室容器を製造する製造方法であって、
口部と胴部とを有するとともに樹脂からなるプリフォームを複数準備する第一工程と、
前記第一収容空間内に前記複数のプリフォームを配置し、前記複数のプリフォーム内に気体を吹き込んで膨らませることによって、前記複数のプリフォームの胴部同士が互いに溶着して形成された連結部分を有する中間成形体を製造する第二工程と、
前記第二収容空間内に前記中間成形体を配置し、前記中間成形体内に気体を吹き込んで膨らませることによって多室容器の外形を形成する第三工程と、
を含む、製造方法。
【請求項７】
多室容器を形成するために用いられる中間成形体の製造方法であって、
口部と胴部とを有するとともに樹脂からなるプリフォームを複数準備する第一工程と、
前記多室容器の外形より小さい収容空間を有する金型を用いて、前記収容空間内に配置された前記複数のプリフォーム内に気体を吹き込んで膨らませることによって、前記複数のプリフォームの胴部同士が互いに溶着して形成された連結部分を有する前記中間成形体を製造する第二工程と、
を含む、中間成形体の製造方法。
【発明の詳細な説明】
【技術分野】
【０００１】
本発明は、多室容器の製造装置及びその製造方法に関するものである。
【背景技術】
【０００２】
従来、例えば異種の内容物をそれぞれ別々に収容できる多室容器が知られている。多室容器を製造する方法としては、例えば、射出成形によって２つのプリフォームを作成し、それら２つのプリフォームを金型に移して各プリフォーム内に空気を吹き込んで、各プリフォームの膨らんだ胴部同士を接着させて連結させることで１つの多室容器を製造する方法が知られている。
【０００３】
上記の方法では、各プリフォームの胴部同士を直接接着させる際に、胴部を高い温度の溶融状態に維持し、膨らませると同時に溶着させなければならない。しかし、金型内には溶着面同士を支えるものがないため、溶着面を含む連結部分の形状が設計とは異なる色々な形状に湾曲してしまい、多室容器の各室を区画する隔壁の形状が崩れてしまう場合がある。そこで、例えば特許文献１の製造方法が提案されている。
【先行技術文献】
【特許文献】
【０００４】
【特許文献１】実用新案登録第２５６８９９３号公報
【発明の概要】
【発明が解決しようとする課題】
【０００５】
特許文献１に記載の製造方法では、各プリフォームの間に仕切部材を挿入してブロー成形を行っている。この仕切部材はブロー成形の最後まで介在されるため、各プリフォームの胴部は支持凸条部分でのみ溶着される。したがって、各プリフォームの溶着面積が少なくなるため、この製造方法で製造された多室容器は、連結部分の結合が弱くて分離しやすくなってしまう。
【０００６】
そこで、本発明は、多室容器の連結部分が設計通りの形状とは異なる形状になることを抑制しつつ、その連結部分の結合力を高めることが可能な多室容器の製造装置及びその製造方法を提供することを目的とする。
【課題を解決するための手段】
【０００７】
上記目的を達成するために、本発明の多室容器の製造装置は、
口部と胴部とを有するプリフォームを複数収容可能な第一収容空間を有する第一金型と、
前記第一収容空間に配置された前記複数のプリフォーム内に気体を吹き込んで膨らませることによって、前記複数のプリフォームの胴部同士が互いに溶着して形成された連結部分を有する中間成形体を製造する第一ブローユニットと、
前記第一収容空間より大きい第二収容空間を有する第二金型と、
前記第二収容空間内に配置された前記中間成形体内に気体を吹き込んで膨らませることによって、多室容器の外形を形成する第二ブローユニットと、
を備える。
【０００８】
この構成によれば、第一金型は、多室容器の外形を形成する第二金型の第二収容空間より小さい第一収容空間を有している。第一ブローユニットは、多室容器の外形より小さい第一収容空間にて各プリフォームを膨らませ、各プリフォームの胴部同士を互いに溶着させて連結部分を含む中間成形体を製造する。多室容器の外形より小さい第一収容空間内では、各プリフォームが膨らむ際に、溶着面を含む連結部分の形状が自由に変形し得る空間が少ないため、膨らんでいる各胴部を連結する連結部分が設計とは異なる色々な形状に形成されることが抑制される。また、仕切部材等を介さずに各胴部が直接溶着して連結部分が形成されるため、溶着面積が大きくなり、連結部分の結合力が高いものとなる。このように形成された連結部分は、第二ブローユニットによるブローの際でも変形しにくく結合力も維持される。このため、上記構成によれば、多室容器の連結部分が設計通りの形状とは異なる形状になることを抑制しつつ、連結部分の結合力を高めることが可能となる。
【０００９】
また、本発明の多室容器の製造装置において、
前記第一金型は、前記中間成形体の外形を形成する内壁面に、前記連結部分の外形を形成するための突起部が形成されていても良い。
【００１０】
この構成によれば、内壁面に形成された突起部によって、第一収容空間内で各プリフォームが膨らむ際において連結部分の形状が自由に変形し得る空間が更に少なくなる。このため、膨らんでいる各胴部を連結する連結部分が設計とは異なる色々な形状に形成されることが更に抑制される。
【００１１】
また、本発明の多室容器の製造装置において、
前記突起部の先端は、平坦面を含んでいても良い。
【００１２】
この構成によれば、各プリフォームを膨らませる際、膨らんでいる部分と突起部の先端面とが接触しても、連結部分に傷がつくことを抑制することができる。
【００１３】
また、本発明の多室容器の製造装置は、
射出成形により前記プリフォームを製造するプリフォーム製造ユニットと、
前記第二ブローユニットにより製造された前記多室容器を装置の外部へ排出する排出ユニットと、
を備えていても良い。
【００１４】
この構成によれば、多室容器を製造するための各工程を１つの製造装置で行うことができ、多室容器を製造する製造効率が向上する。
【００１５】
また、本発明の多室容器の製造装置において、
前記第一ブローユニットは、樹脂が膨らみやすい温度となるように前記中間成形体の温度を調整する温調部を有していても良い。
【００１６】
この構成によれば、中間成形体を製造する工程と温調の工程とを同時に行うことができ、製造効率が向上する。
【００１７】
また、本発明の多室容器の製造方法は、
第一収容空間を有する第一金型と、前記第一収容空間より大きい第二収容空間を有する第二金型と、を用いて多室容器を製造する製造方法であって、
口部と胴部とを有するとともに樹脂からなるプリフォームを複数準備する第一工程と、
前記第一収容空間内に前記複数のプリフォームを配置し、前記複数のプリフォーム内に気体を吹き込んで膨らませることによって、前記複数のプリフォームの胴部同士が互いに溶着して形成された連結部分を有する中間成形体を製造する第二工程と、
前記第二収容空間内に前記中間成形体を配置し、前記中間成形体内に気体を吹き込んで膨らませることによって多室容器の外形を形成する第三工程と、
を含む。
【００１８】
この工程によれば、第一金型は、多室容器の外形を形成する第二金型の第二収容空間より小さい第一収容空間を有している。そして、この第一金型を用いて、多室容器の外形より小さい第一収容空間にて各プリフォームを膨らませ、各プリフォームの胴部同士を互いに溶着させて連結部分が形成される。多室容器の外形より小さい第一収容空間内では、各プリフォームが膨らむ際に、溶着面を含む連結部分の形状が自由に変形する空間が少ないため、各胴部を連結する連結部分が設計とは異なる色々な形状に形成されることを抑制される。また、仕切部材等を介さずに各胴部が直接溶着して連結部分が形成されるため、溶着面積が大きくなり、連結部分の結合力が高いものとなる。このように形成された連結部分は、多室容器の外形を形成するブローの際でも変形しにくく結合力も維持される。このため、上記工程によれば、多室容器の連結部分が設計通りの形状とは異なる形状になることを抑制しつつ、連結部分の結合力を高めることが可能となる。
【００１９】
また、本発明の中間成形体の製造方法は、
口部と胴部とを有するとともに樹脂からなるプリフォームを複数準備する第一工程と、
多室容器の外形より小さい収容空間を有する金型を用いて、前記収容空間内に配置された前記複数のプリフォーム内に気体を吹き込んで膨らませることによって、前記複数のプリフォームの胴部同士が互いに溶着して形成された連結部分を有する中間成形体を製造する第二工程と、
を含む。
【００２０】
この工程によれば、多室容器の外形より小さい収容空間にて各プリフォームを膨らませ、各プリフォームの胴部同士を互いに溶着させて連結部分が形成される。多室容器の外形より小さい収容空間内では、各プリフォームが膨らむ際に、溶着面を含む連結部分の形状が自由に変形する空間が少ないため、各胴部を連結する連結部分が設計とは異なる形状になることが抑制される。また、仕切部材等を介さずに各胴部が直接溶着して連結部分が形成されるため、溶着面積が大きくなり、連結部分の結合力は高いものとなる。このようにして、上記工程によれば、中間成形体の連結部分が設計通りの形状とは異なる形状になることを抑制しつつ、連結部分の結合力を高めることが可能となる。
【発明の効果】
【００２１】
本発明の多室容器の製造装置及びその製造方法によれば、多室容器の連結部分が設計通りの形状とは異なる形状になることを抑制しつつ、その連結部分の結合力を高めることができる。
【図面の簡単な説明】
【００２２】
【図１】本発明の実施形態に係る多室容器の製造装置の概略構成を示す図である。
【図２】（ａ）〜（ｃ）は、中間成形体を形成する製造部の横断面を示す図である。
【図３】（ａ）〜（ｃ）は、中間成形体を形成する製造部の縦断面を示す図である。
【図４】（ａ）〜（ｃ）は、最終成形体を形成する製造部の横断面を示す図である。
【図５】（ａ）〜（ｄ）は、最終成形体を形成する製造部の縦断面を示す図である。
【図６】多室容器の一例を示す図である。
【発明を実施するための形態】
【００２３】
以下、本実施形態の一例について、図面を参照して詳細に説明する。
【００２４】
図１に示すように、多室容器の製造装置１は、一周３６０度の搬送領域を４分割した回転搬送型の成形機で構成されている。多室容器の製造装置１は、４分割した領域に、プリフォーム製造部２と、中間成形体製造部３と、最終成形体製造部４と、取り出し部５とを備えている。搬送方向（矢印Ａの方向）において、プリフォーム製造部２の下流に中間成形体製造部３が配置され、中間成形体製造部３の下流に最終成形体製造部４が配置され、最終成形体製造部４の下流に取り出し部５が配置されている。各部２〜５には、間欠的に回転搬送される移送板８がそれぞれ設けられている。
【００２５】
プリフォーム製造部２には、複数（本例では２本）のプリフォームを射出成形により製造するプリフォーム製造ユニット２１が設けられている。プリフォーム製造ユニット２１は、外型や芯型などを含む射出金型（図示省略）、移送板８に支持された口型等により構成されている。プリフォーム製造ユニット２１は、有底筒状の胴部と、胴部の開口側に形成された口部とを有するＰＥＴ（Polyethyleneterephthalate）製のプリフォームを製造する。
【００２６】
中間成形体製造部３には、中間成形体金型（第一金型の一例）３１、中間成形体ブローユニット（第一ブローユニットの一例）３２等が設けられている。
中間成形体金型３１は、複数（本例では２本）のプリフォームを収容可能な第一収容空間を有する。中間成形体金型３１の内壁面は、中間成形体の外形を形成するとともに、第一収容空間を区画する。中間成形体ブローユニット３２は、プリフォームをブローすることにより、中間成形体を製造する。中間成形体ブローユニット３２は、中間成形体の温度を調整可能な、例えば環状ヒータ、赤外線ヒータ等で構成される温調部３３を有する。
【００２７】
最終成形体製造部４には、最終成形体金型（第二金型の一例）４１、最終成形体ブローユニット（第二ブローユニットの一例）４２等が設けられている。
最終成形体金型４１は、中間成形体を収容可能な第二収容空間を有する。第二収容空間は、中間成形体金型３１の第一収容空間よりも大きい容積を有している。最終成形体金型４１の内壁面は、多室容器の外形を形成するとともに、第二収容空間を区画する。最終成形体ブローユニット４２は、中間成形体をブローすることによって、多室容器の外形を有した最終成形体を製造する。
【００２８】
取り出し部５には、製造された最終成形体を製造装置１の外部へ排出するための排出ユニット５１が設けられている。排出ユニット５１は、一対の割型で構成されている口型を開放駆動することにより口型に保持されている最終成形体を排出させる。
【００２９】
中間成形体製造部３についてさらに図２、図３を参照して説明する。
中間成形体金型３１の第一収容空間Ｓ１は、本例では２本のプリフォーム１０を収容可能であり、一対の中間成形体割型３１ａと３１ｂを型閉めすることで形成される。対比のため、最終成形体金型４１に形成される第二収容空間Ｓ２を図２に破線で示す。中間成形体金型３１の第一収容空間Ｓ１は、最終成形体金型４１の第二収容空間Ｓ２よりも小さく形成されている。
【００３０】
中間成形体ブローユニット３２は、移送板８に支持されるとともにプリフォーム１０の口部を保持する口型９、プリフォーム１０へ空気（気体の一例）をブローするために口型９から挿入されるブロー部材（図示省略）等により構成されている。中間成形体ブローユニット３２（図１参照）は、第一収容空間Ｓ１内に並列して配置された２本のプリフォーム１０に空気を吹き込んで膨らませることにより中間成形体１１を製造する。製造された中間成形体１１は、２本のプリフォーム１０の胴部同士が周方向の対向する一定の領域で互いに溶着して形成された連結部分１２を有している。プリフォーム１０が並列されている方向の連結部分１２の厚さは、中間成形体１１の胴部の壁の厚さよりも厚く形成されている。
【００３１】
中間成形体金型３１を構成する一対の中間成形体割型３１ａと３１ｂには、第一収容空間Ｓ１を形成する内壁面の互いに対向する位置に一対の突起部３４が形成されている。突起部３４は、収容された２本のプリフォーム１０の並列方向において、２本のプリフォーム１０の間に位置するように設けられている。突起部３４は、収容された２本のプリフォーム１０間の最小空間幅ｗよりも狭い幅を有している。また、突起部３４は、中間成形体金型３１内に収容されるプリフォーム１０の長さ方向に沿って真っすぐに連続して形成されている。また、突起部３４は、先端部３４Ａが平坦な面状に形成されるとともに、先端部３４Ａの縁がＲ面取り加工されている。突起部３４の先端部３４Ａは、２本のプリフォーム１０がブローされたとき、ブロー成形された中間成形体１１の連結部分１２の両端部に当接する。
【００３２】
最終成形体製造部４についてさらに図４、図５を参照して説明する。
最終成形体金型４１の第二収容空間Ｓ２は、中間成形体１１を収容可能であり、一対の最終成形体割型４１ａと４１ｂを型閉めすることで形成される。
【００３３】
最終成形体ブローユニット４２は、移送板８に支持されるとともに中間成形体１１の口部を保持する口型９、中間成形体１１へ空気をブローするために口型９から挿入されるブロー部材（図示省略）等により構成されている。最終成形体ブローユニット４２（図１参照）は、第二収容空間Ｓ２内に配置された中間成形体１１に空気を吹き込んで膨らませることにより最終成形体１３を製造する。製造された最終成形体１３は、長さ方向（縦方向）に真っすぐ伸びる連結部分１２によって分離された２室の収容部１３ａ，１３ｂを有している。連結部分１２の厚さは、最終成形体１３の胴部の壁の厚さよりも厚く形成されている。また、最終成形体金型４１の内壁面は、対向する所定の領域４３が平面状に形成されている。この領域４３は、上記中間成形体金型３１の内壁面に形成される領域３５の位置に相当する。
【００３４】
次に、図１〜図５を参照し、製造装置１を用いて多室容器を製造する多室容器の製造方法について説明する。
【００３５】
（第１ステージ（第一工程の一例））
プリフォーム製造ユニット２１は、射出金型、口型９等を組合わせて有底筒状に形成されたプリフォーム成形用型内に、射出成形機から熱可塑性樹脂（280〜300℃）を射出して、同一構造を有した例えば２本の試験管状のプリフォーム１０を製造する。樹脂を射出する際、金型の温度は15℃程度に冷却しておく。製造された２本のプリフォーム１０は、並列された状態でプリフォーム１０の口部が口型９によって保持され（図３（ａ）参照）、移送板８の回転に伴って次のステージへ移送される。
【００３６】
なお、本例ではそれぞれのプリフォーム１０が独立した構造のものを用いているが、例えば２本のプリフォーム１０が口部においてプリフォームと同じ樹脂の連結片によって互いに連結されている構造のものを用いても良い。また、プリフォームは、製造装置１とは別の装置で別途製造しておいたものを用いても良い。
【００３７】
（第２ステージ（第二工程の一例））
中間成形体ブローユニット３２は、移送された２本のプリフォーム１０を、型開きされた状態の中間成形体割型３１ａ，３１ｂ間に配置する（図２（ａ）参照）。続いて、中間成形体金型３１を型閉めし、２本のプリフォーム１０内へのブローを開始する（図２（ｂ），図３（ｂ）参照）。このときのプリフォーム１０の温度は、100〜120℃になっている。また、中間成形体金型３１の温度は、温調部３３により70〜100℃になるように調整される。
【００３８】
ブローにより膨らんだ２本のプリフォーム１０は、プリフォーム１０の周面が中間成形体金型３１の内壁面に当接するとともに、プリフォーム１０の互いに対向する胴部同士が当接する。これにより、当接した胴部同士が溶着し、溶着によって形成された連結部分１２をプリフォーム１０の長さ方向に有する中間成形体１１が製造される（図２（ｃ），図３（ｃ）参照）。このとき、連結部分１２は、両端部が中間成形体金型３１の内壁面に形成された突起部３４に当接して、連結部分１２の外形が形成される（図２（ｃ）参照）。製造された中間成形体１１の温度は、温調部３３の調整により、樹脂が膨らみやすい100℃程度に維持されている。
【００３９】
製造された中間成形体１１は、中間成形体金型３１から取り出され、中間成形体１１の口部が口型９によって保持され（図５（ａ）参照）、移送板８の回転に伴って次のステージへ移送される。
【００４０】
（第３ステージ（第三工程の一例））
最終成形体ブローユニット４２は、移送された中間成形体１１を、型開きされた状態の最終成形体割型４１ａ，４１ｂ間に配置する（図４（ａ）参照）。続いて、最終成形体金型４１を型閉めし、中間成形体１１内へのブローを開始する（図４（ｂ），図５（ｂ）参照）。このときの最終成形体金型４１の温度は、20〜30℃に冷却しておく。
【００４１】
ブローにより中間成形体１１は徐々に膨らみ、中間成形体１１の周面が最終成形体金型４１の内壁面に当接する。これにより、連結部分１２を挟んで２室の収容部１３ａ，１３ｂを有する最終成形体１３、すなわち多室容器の外形が製造される（図４（ｃ），図５（ｃ）参照）。連結部分１２は、最終成形体１３の長さ方向に真っすぐ伸びて、収容部１３ａ，１３ｂをそれぞれ独立した容器として区画する。
【００４２】
なお、最終成形体１３を製造する際には、高圧エアで周方向（横軸方向）へブローするとともに、延伸ロッドを用いて中間成形体１１を長さ方向（縦軸方向）へ延伸させる二軸延伸ブロー成形を行っても良い。
【００４３】
製造された最終成形体１３は、最終成形体金型４１から取り出され、口型９によって保持されながら（図５（ｄ）参照）、移送板８の回転に伴って次のステージへ移送される。
【００４４】
（第４ステージ）
排出ユニット５１は、移送された最終成形体１３を口型９から解放し、最終成形体１３を製造装置１の外部へ排出する。
【００４５】
上記第１〜第４ステージにより、図６に示すような、対称構造を有した２つの収容部１３ａ，１３ｂから構成される多室容器１３を製造することができる。本例では、多室容器１３は、中央の凹部がスクイズ可能に構成されている。また、多室容器１３の正面側と背面側の中央部１４が平面状に形成されている。また、多室容器１３の口部には、キャップが取り外し可能なように、ネジ山１５が形成されている。各収容部１３ａ，１３ｂには、例えば化粧品、洗剤等を収容可能である。
【００４６】
ところで、複数のプリフォームを溶着する際、プリフォームの溶着面を含む連結部分の形状を設計通りにするために例えば仕切部材等を設ける従来の構成では、仕切部材との接触面積が減少するために溶着部の結合力が弱くなる場合があった。また、金型に仕切部材等を設ける複雑な構造のため、設備コストが高くなる。なお、本件において、溶着とは、例えばブロー成形の際に、加熱されたプリフォームが変形可能な状態で他方のプリフォームと接着することを意味し、プリフォームの全体が完全な液体状態まで溶けて他方のプリフォームと接着することを要しない。
【００４７】
これに対して、本実施形態の多室容器の製造装置及びその製造方法によれば、第一収容空間Ｓ１を有する中間成形体金型３１で先ずプリフォーム１０をブローして中間成形体１１を製造し、次に第二収容空間Ｓ２を有する最終成形体金型４１で中間成形体１１をブローして最終成形体１３を製造する。このように、中間成形体１１を製造する際、仕切部材等を介さずにプリフォーム１０の胴部同士を直接溶着させて連結部分１２を形成するため、溶着面積が大きくなり、連結部分１２の結合力を高くすることができる。また、仕切部材を用いないため金型の構造が複雑とならず、仕切部材を用いる方法と比較して設備コストが低下する。
【００４８】
また、本実施形態では、金型の収容空間の大きさを比較すると、第一収容空間Ｓ１の方が第二収容空間Ｓ２よりも小さく形成されている。なお、本実施形態においては、第一収容空間Ｓ１の容積を１とした場合、第二収容空間Ｓ２の容積が２．５以上となるように設定するのが好ましく、２．５〜１０となるように設定するのが更に好ましい。
【００４９】
ブローによりプリフォーム１０の膨らむ空間が大きいと、ブローする空気の量、ブロー時間も多くなるため、プリフォーム１０の溶着面を変形させる不確定な要素が多くなり、連結部分１２が設計通りの形状にならない可能性が高くなる。これに対し多室容器の外形より小さい第一収容空間Ｓ１内では、各プリフォーム１０が膨らむ際に、プリフォーム１０の溶着面を含む連結部分１２の形状が自由に変形し得る空間が少ないため、プリフォーム１０の胴部を連結する連結部分１２を設計通りの例えば真っすぐな平面形状に形成することができる。
【００５０】
また、中間成形体１１の外形を形成する中間成形体金型３１の内壁面には、中間成形体１１における連結部分１２の外形を形成する一対の突起部３４が設けられている。突起部３４の先端部３４Ａは、縁がＲ面取りされた平坦な面状に形成されており、ブローにより膨らんでいるプリフォーム１０の連結部分１２の両端部に先端部３４Ａが当接するように構成されている。このように、プリフォーム１０の溶着面を含む連結部分１２を一対の突起部３４で両側から抑え込み、連結部分１２の形状が自由に変形し得る空間をさらに少なくして、プリフォーム１０の連結部分１２を設計通りの形状に形成することができる。また、プリフォーム１０が膨らむ際に、膨らむプリフォーム１０と突起部３４のＲ面取りされた平坦な先端部３４Ａとが接触しても、連結部分１２に傷が生じることを抑制することができる。
【００５１】
また、中間成形体金型３１において、ブローの際に連結部分１２の両端部に当接する突起部３４を含む内壁面は、温調部３３の温度調整により連結部分１２の温度を低下させない温度（70〜100℃）に調整されている。このため、突起部３４を含む内壁面が接触することによる連結部分１２の温度低下を防ぐことができる。
【００５２】
また、最終成形体金型４１内では、上記のように形成された真っすぐな形状で高い結合力を有した中間成形体１１をブローするので、最終的に製造される最終成形体１３の連結部分１２も形状が変形しにくく、高い結合力を維持したものとすることができる。
【００５３】
このように、本形態によれば、多室容器の連結部分が設計通りの形状とは異なる形状になることを抑制することができるとともに、連結部分の結合力を高めることができる。
【００５４】
また、プリフォーム１０の製造から最終成形体１３の排出までの、多室容器を製造する各工程を１つの製造装置で行うことができ、多室容器を製造する効率を向上させることができる。また、中間成形体１１を製造する工程において中間成形体１１の温度を同時に調整することができるので、次の工程で処理するために適した温度に中間成形体１１の温度を調整しておくことができ多室容器を製造する効率を向上させることができる。
【００５５】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【００５６】
例えば、中間成形体１１を製造する者と最終成形体１３を製造する者とが別々の製造業者であってもよい。この場合、中間成形体１１を製造する製造業者が本発明の一例を実施することとなる。中間成形体１１を製造する製造装置は、プリフォーム製造部２と、中間成形体製造部３とを少なくとも有する構成で良い。中間成形体１１を製造する製造方法は、上記の第１ステージと第２ステージの工程を少なくとも含めばよい。
【符号の説明】
【００５７】
１：多室容器の製造装置、１０：プリフォーム、１１：中間成形体、１２：連結部分、１３：最終成形体、２１：プリフォーム製造ユニット、３１：中間成形体金型（第一金型の一例）、３２：中間成形体ブローユニット（第一ブローユニットの一例）、３３：温調部、３４：突起部、３４Ａ：先端部、４１：最終成形体金型（第二金型の一例）、４２：最終成形体ブローユニット（第二ブローユニットの一例）、Ｓ１：第一収容空間、Ｓ２：第二収容空間
【図１】
0006621632.tif 000002
【図２】
0006621632.tif 000003
【図３】
0006621632.tif 000004
【図４】
0006621632.tif 000005
【図５】
0006621632.tif 000006
【図６】
0006621632.tif 000007